(57)【要約】      （修正有）【課題】複数の丸太杭の縦継ぎのために使用するずれ止め具を備え、該ずれ止め具の一方をテーパーに施したことを特徴とする丸太杭を提供する。【解決手段】地盤補強のための丸太杭１０、２０、３０の縦継ぎのために使用するずれ止め具Ｐ１で、一方の下方をテーパーに施したもので、予め丸太杭の端面２２、３２、或いは２１に嵌入穴を予め工場で加工しておくとともに、ずれ止め具Ｐ１を現場にて装着する。その状態で丸太杭１０、２０、３０を縦継ぎさせ、地盤Ｇに杭打重機で施工させ、縦継ぎを地盤Ｇでも維持させるものである。【選択図】図１
0003193634.tif 000002
【実用新案登録請求の範囲】
【請求項１】
複数の丸太杭の縦継ぎのために使用するずれ止め具を備え、該ずれ止め具の一方をテーパーに施したことを特徴とする丸太杭。
【請求項２】
前記丸太杭の端面にずれ止め具を装着したことを特徴とする請求項１記載の丸太杭。
【請求項３】
前記ずれ止め具は、予め前記丸太杭の端面に嵌入穴を施したことを特徴とする請求項１乃至２記載の丸太杭。
【請求項４】
前記嵌入穴に、前記ずれ止め具を挿し込んだことを特徴とする請求項１乃至３記載の丸太杭。
【考案の詳細な説明】
【技術分野】
【０００１】  本考案は、地盤補強材に用いる縦継ぎ丸太杭用のずれ止め具およびこれを装着した丸太杭に関するものである。
【背景技術】
【０００２】  従来より、建設分野では、軟弱地盤対策のひとつである小口径杭として木杭が使用されている。そのなかで、自然素材で地域調達が可能な丸太杭（例えば松丸太や杉丸太など）の優れた特性（粘り強さ、加工性など）は認知されているが、その大部分は建築用材の用途で林山地からの搬出および運搬効率が考慮され、丸太長さは４メートルが定尺とされている。【０００３】  そのため、丸太杭の必要長が４メートル以上、例えば１２メートルの場合であったときは、林山地からの調達までに時間がかかること、搬出・運搬がコスト高となるため、鋼管やコンクリート杭に比べて市場流通性が劣り、実用的な利用までには至っていない。【０００４】  木杭（丸太杭を含め、何がしかの円筒加工が施されたもの）の接続装置が提案されている。例えば、特許文献１（第１頁、第１図参照）の課題は、極めて簡単な構成で低コストであり、単純な作業により作業時間も短くて杭同士の縦連結を行って施工することのできる基礎用杭装置、縦連結手段並びに基礎用杭の打ち込み設置方法を提供するもので、その解決手段は、杭と杭とが縦に連結された状態で地中に打込まれる。【０００５】  地中に縦に配設させた一方の杭と、該杭に軸心を合わせた状態で縦上部に連結される他の杭と、他の杭を吊支させて地中側の一方の杭に向けて押圧させることにより両杭を縦に連結させる縦連結手段とを備える。【０００６】  縦連結手段は、上部側の杭の連結部から突設され地中側の一方の杭に対して長手方向に圧入される直状部材と、この直状部材の突設側に設けられ地中側の一方の杭に対する長手圧入方向への抵抗がその引き抜き方向への抵抗より小となる抵抗部とを備える。【０００７】  圧入時は小さな抵抗により円滑に押し下げでき、圧入後は容易に引き抜けないので杭全体の一体強度が高くなるように構成されている。【０００８】  このように、地上から深い深度まで地盤補強が必要な場合が多く、単純な機構で簡単な作業および加工で縦連結させて丸太杭を施工することは、森林環境の改善など副次的な効果も高い。本願は、上記従来技術の欠点、問題点を解消し、環境に優しい丸太を活用する手段、方法等を鋭意検討して本考案を完成させた。
【先行技術文献】
【特許文献】
【０００９】
【特許文献１】特開２００９−４６８３２号公報
【考案の概要】
【考案が解決しようとする課題】
【００１０】  本願考案が解決しようとする、第１の課題は、製作が容易で、丸太杭への装着作業が簡便な縦継ぎ丸太杭用のずれ止め具を提供することであり、第２の課題は、上記の縦継ぎ丸太杭用のずれ止め具を木口部に装着した丸太杭を、多様な打込み方法（打撃、圧入、振動など）に適用可能としたものである。
【課題を解決するための手段】
【００１１】  課題を解決するための手段は、本願、実用新案登録請求の範囲の各請求項に記載の考案であり、その具体的な解決手段は、以下のとおりである。【００１２】  上記の課題を解決するための、第１の考案は、請求項１に記載の考案であり、複数の丸太杭の縦継ぎのために使用するずれ止め具を備え、該ずれ止め具の一方をテーパーに施したことを特徴としている。【００１３】  第２の考案は、請求項２に記載の考案であり、前記丸太杭の端面にずれ止め具を装着したこと特徴としている。【００１４】  第３の考案は、請求項３に記載の考案であり、前記ずれ止め具は、予め前記丸太杭の端面に嵌入穴を施したことを特徴としている。【００１５】  第４の考案は、請求項４に記載の考案であり、前記嵌入穴に前記ずれ止め具を挿し込んだことを特徴としている。
【考案の効果】
【００１６】  本考案に係る、縦継ぎ丸太杭用のずれ止め具は、上記のように構成され、以下のような本考案特有の効果を奏する。また、上記のような構成によれば、本考案の課題を十分に解決することができる。【００１７】  すなわち、第１の考案によれば、「複数の丸太杭の縦継ぎのために使用するずれ止め具を備え、該ずれ止め具の一方をテーパーに施した丸太杭」とした構成により、丸太杭の端面に孔を空けずともスムーズな貫入ができ、複数の丸太杭を確実に縦継することが可能となる。【００１８】  また、第２の考案によれば、「前記丸太杭の端面にずれ止め具を装着した丸太杭」とした構成により、上下の縦継ぎを確実に行える。【００１９】  また、第３の考案によれば、「前記ずれ止め具は、予め前記丸太杭の端面に嵌入穴を施した請求項１乃至２記載の丸太杭」とした構成により、ずれ止め具を丸太杭に、確実な装着が可能となるとともに、作業性の低減をはかることができる。【００２０】  さらにまた、第４の考案によれば、「前記嵌入穴に、前記ずれ止め具を挿し込んだ請求項１乃至３記載の丸太杭」とした構成により、ずれ止め具を丸太杭の端面に挿し込むことで、端面への位置決めを正確に行えるとともに、より確実な装着が可能となる。
【図面の簡単な説明】
【００２１】
【図１】本願考案の実施形態である、丸太杭用のずれ止め具を装着した、組み立て工程を示した説明図である。
【図２】本願考案の実施形態である、丸太杭用のずれ止め具の斜視図である。
【図３】本願考案の実施形態である、丸太杭用のずれ止め具を使用した組み立て要図の斜視図である。
【図４】本願考案の実施形態である、丸太杭用のずれ止め具の装着順序を示す説明図である。
【考案を実施するための形態】
【００２２】  本願考案の実施形態について、図面を参照して示す。本願考案では、地盤Ｇに埋設される丸太杭（第１杭１０、第２杭２０、第３杭３０）と縦継ぎ施工のためのずれ止め具（Ｐ１）から構成される。図１は、本願考案の実施形態の丸太杭用のずれ止め具を装着した、組み立て工程を示した説明図である。
【００２３】  図１（イ）に示す丸太杭（第１杭）１０は、地盤補強が必要な地盤Ｇに杭打込機（図示せず）により、地盤Ｇに鉛直性を保った状態で埋設される。
【００２４】  互いの丸太杭を縦継ぎとするために、地盤Ｇから丸太杭（第１杭）１０の上端部を突出させた位置で打ち止める。好ましくは杭直径の２〜３倍（例えば、杭直径２０センチメートルであれば突出高は４０〜６０センチメートルとなる）となる。
【００２５】  図１（ロ）に示す丸太杭（第２杭）２０には、丸太杭（第２杭）の端面木口（末口）２２の嵌入穴Ｐ１ａにずれ止め具Ｐ１が施工現場で挿入されており、鉛直性を保った状態で丸太杭（第１杭）１０へ据え付けた形態である。
【００２６】  図１（ハ）に示す丸太杭（第１杭）１０、丸太杭（第２杭）２０、ずれ止め具Ｐ１は、図１（ロ）の形態から杭打込機（図示せず）の縦押し込みによって、丸太杭（第１杭）の端面木口（元口）１１と丸太杭（第２杭）の端面木口（末口）２１が突き当てられ、さらに、杭打込機（図示せず）により、地盤Ｇに鉛直性を保った状態で埋設された形態である。
【００２７】  図１（ニ）に示す丸太杭（第１杭）１０、丸太杭（第２杭）２０、丸太杭（第３杭）３０、ずれ止め具Ｐ１は、図１（ハ）の形態から、丸太杭（第３杭）の端面木口（末口）３２にずれ止め具Ｐ１が挿入された形態で縦継ぎされた形態である。これから、杭打込機（図示せず）により地盤Ｇに打込みを行えばよい。
【００２８】  図２は、丸太杭用のずれ止め具Ｐ１の実施形態を示す斜視図である。ずれ止め具Ｐ１は、金属性の丸棒をなし、所定の長さ、例えば１００ミリメートルに切断されたもので、太さ直径、例えば２０ミリメートルで形成されている。また、切断されたずれ止め具上面Ｐ２は、平らに整えられ、その平面外周の面取りＰ２ａは、面取りが施されている。ずれ止め具先端テーパーＰ３は、先端部に向かってテーパーに形成されており、そのテーパー長は、例えば４０ミリメートルから形成されている。
【００２９】  図３には、ずれ止め具Ｐ１と、丸太杭（第１杭）１０および丸太杭（第２杭）２０を示し、ずれ止め具Ｐ１を使用した丸太杭の組み立て要図の斜視図である。丸太杭（第２杭）の端面木口（末口）２２は、平たんに整えられ、ずれ止め具Ｐ１の挿入穴Ｐ１ａは、丸太杭（第２杭）の端面木口（末口）２２の中央部に円筒状で、丸太杭（第２杭）の端面木口（末口）２２面に垂直に形成される。挿入穴Ｐ１ａの所定の深さは、例えば５０ミリメートル、太さ直径、例えばずれ止め具Ｐ１より圧入できるように若干小となるよう形成される。ずれ止め具Ｐ１は挿入穴Ｐ１ａに対してずれ止め具上面方向Ｐ２から挿し込むことで、ずれ止め具先端テーパーＰ３は、丸太杭（第２杭）の端面木口（末口）２２から、例えば５０ミリメートル突出する形態で装着されている。
【００３０】  丸太杭（第１杭）の端面木口（元口）１１と同様に、丸太杭（第２杭）の端面木口（元口）２１および丸太杭（第３杭）の端面木口（元口）３１には、丸太杭の打ち込み時の破損防止のために丸太杭の木口面取り１１ａが形成されている。
【００３１】  複数段の連継（図１（ニ））を考える場合には、丸太杭（第２杭）２０を繰り返し組み合わせるとともに、最上段には丸太杭（第３杭）を据え付けることで、丸太杭を形成できる。また、丸太杭（第２杭）の端面木口（元口）２１および丸太杭（第２杭）の端面木口（末口）２２の両木口に嵌入穴Ｐ１ａを施すことでも、同じように丸太杭を形成すればよい。
【００３２】  図４には、丸太杭とずれ止め具Ｐ１の装着順序を示した説明図である。丸太杭（第１杭）の端面木口（元口）１１、丸太杭（第２杭）の端面木口（元口）２１、丸太杭（第３杭）の端面木口（元口）３１の各元口側は、平たんに整えられ丸太杭の木口面取り１１ａが形成される。丸太杭（第１杭）の端面木口（元口）１１に対して斜めに３０〜４５度の角度ρで、３０〜４０ミリメートルの面取り長さＳが形成されている。
【００３３】  図４（イ）に示す、予め現場にて嵌入穴Ｐ１ａにずれ止め具Ｐ１が装着された丸太杭（第２杭）２０を、ずれ止め具先端テーパーＰ３が下向きになるようにワイヤーなど吊下げ、丸太杭（第１杭）の端面木口（元口）１１の中心部に据付ける。このとき、ずれ止め具先端テーパーＰ３は丸太杭（第１杭）の端面木口（元口）１１に、わずかにめり込む程度である。ずれ止め具先端テーパーＰ３が丸太杭（第１杭）の端面木口（元口）１１の中心部にないときは、据付位置を容易に変えることができる。
【００３４】  図４（ロ）は、図４（イ）から、さらに杭打込機（図示せず）の垂直方向の静的な圧入により、丸太杭（第１杭）の端面木口１１と丸太杭（第２杭）の端面木口２２が突き当てられた状態である。このとき、ずれ止め具先端テーパーＰ３は丸太杭（第１杭）の端面木口１１に圧入され、埋没することになる。
【００３５】  丸太杭に使用されるのは、地域調達が可能な国産針葉樹（松、杉に代表される）であり、間伐材はもちろん主伐材からも成形するものがある。
【００３６】  丸太杭の直径や全長は、適宜変更できるし、丸太杭（第１杭）１０のような形態にするためには、その下端は先鋭にすることが好ましく、これにより地盤Ｇに貫入させ易いものとなる。さらに、杭体を成すためには、単独本のときも、複数本を地盤Ｇに縦に継ぎ合わせるときも、向きの定義を維持することが望ましい。
【００３７】  向きの定義とは、丸太は生きた木であったときの上側、梢（こずえ）の方を「末」、下側、根本の方が「元」となり、それぞれの切り口を「末口」「元口」という。通常の木は、根本から梢に向かって細くなるため、末口側に直径が小さくなる。これが一般的であるのと、地盤からの圧力も杭体のテーパーがあることによって有利に働くことが言われている。説明図では図１がわかりやすい。本願考案は以上のような形態であり、これを軟弱地盤の補強に使用すればよい。
【符号の説明】
【００３８】Ｐ１  ずれ止め具
Ｐ２  ずれ止め具上面
Ｐ３  ずれ止め具先端テーパー
Ｐ１ａ  嵌入穴
Ｐ２ａ  平面外周の面取り
１０  丸太杭（第１杭）
１１  丸太杭（第１杭）の端面木口（元口）
１１ａ  丸太杭の木口面取
２０  丸太杭（第２杭）
２１  丸太杭（第２杭）の端面木口（元口）
２２  丸太杭（第２杭）の端面木口（末口）
３０  丸太杭（第３杭）
３１  丸太杭（第３杭）の端面木口（元口）
３２  丸太杭（第３杭）の端面木口（末口）
ρ    杭頭面取角
Ｓ    杭頭面取長さ
Ｇ    地盤
【図１】
0003193634.tif 000003
【図２】
0003193634.tif 000004
【図３】
0003193634.tif 000005
【図４】
0003193634.tif 000006
【手続補正書】
【提出日】平成26年7月24日(2014.7.24)
【手続補正１】
【補正対象書類名】実用新案登録請求の範囲
【補正対象項目名】全文
【補正方法】変更
【補正の内容】
【実用新案登録請求の範囲】
【請求項１】
丸太杭の嵌入穴に装着するずれ止め具で、その下方をテーパーに施し、複数の丸太杭を縦継ぎにすることを特徴としたずれ止め具。
【請求項２】
前記丸太杭の端面木口に請求項１に記載のずれ止め具を装着したことを特徴とする丸太杭。
【請求項３】
前記ずれ止め具は、予め前記丸太杭の端面に嵌入穴を施したことを特徴とする請求項２に記載の丸太杭。
【請求項４】
前記嵌入穴に、前記ずれ止め具を挿し込んだことを特徴とする請求項２または３に記載の丸太杭。